(57)【要約】【課題】  フリーアクセスフロアの床下空間のエアの流れを容易に変更することができる技術を提供する。【解決手段】  フリーアクセスフロア１とそれが支持される基礎床との間に形成される空間を仕切るフリーアクセスフロアの床下空間の仕切方法において、前記フリーアクセスフロアを構成する複数のフリーアクセスパネル１ａのうちのいずれか一つ又はいずれか複数のそれぞれにスリット５を設け、該スリットに、仕切板６を挿脱可能に挿入して、前記フリーアクセスパネルの面から垂下させ、前記空間を流れるエアの流れ方向を定めるようにした。【選択図】図１
2011047240.tif 000002
【特許請求の範囲】
【請求項１】
基礎床上に空間を介して複数のフリーアクセスパネルを配設して形成されるフリーアクセスフロアであって、
前記複数のフリーアクセスパネルのうちのいずれか一つ又はいずれか複数のフリーアクセスパネルのそれぞれにはスリットが設けられ、
該スリットに、前記空間を流れるエアの流れ方向を定める仕切板が、前記フリーアクセスパネルの面から垂下するように且つ挿脱可能に設けられることを特徴とするフリーアクセスフロア。
【請求項２】
前記仕切板は、前記フリーアクセスパネルを前記基礎床上に支持する支柱間に設けられることを特徴とする請求項１記載のフリーアクセスフロア。
【請求項３】
前記スリットは一つの前記フリーアクセスパネルに複数設けられることを特徴とする請求項１又は請求項２に記載のフリーアクセスフロア。
【請求項４】
前記仕切り板はフレキシブルな材料で設けられ、且つ下端に重りが設けられていることを特徴とする請求項１乃至請求項３の何れかに記載のフリーアクセスフロア。
【請求項５】
フリーアクセスフロアとそれが支持される基礎床との間に形成される空間を仕切るフリーアクセスフロアの床下空間の仕切方法であって、
前記フリーアクセスフロアを構成する複数のフリーアクセスパネルのうちのいずれか一つ又はいずれか複数のそれぞれにスリットを設け、
該スリットに、仕切板を挿脱可能に挿入して、前記フリーアクセスパネルの面から垂下させ、前記空間を流れるエアの流れ方向を定めるようにしたことを特徴とするフリーアクセスフロアの床下空間の仕切方法。
【発明の詳細な説明】
【技術分野】
【０００１】
この出願に開示の技術は、床の構造及び床下空間の形成方法に係り、特に床下空間の間仕切りを行う技術に関するものである。
【背景技術】
【０００２】
基礎床面上に規則的に立設配置された支持脚にわたって床パネル（フリーアクセスパネル）を架橋状に敷設して構成されるフリーアクセスフロア（単にフリーアクセスとも言われる）の床下空間を、二つの支持脚の間に仕切板を設置することにより間仕切るようにした床構造が知られている（例えば下記特許文献１参照）。この床構造では、仕切板の上部を支持脚のパネル載置用台座に固着させて、仕切板の下部を基礎床面又は支持脚のベースプレート上に固定設置したＬ型アングル材に固着するようにしている。そして、Ｌ型アングル材に板の支治具を高さ調節可能に取り付け、この板支持具に仕切板の下部を固着するようにしている。
【先行技術文献】
【特許文献】
【０００３】
【特許文献１】特許第３９１４３１５号公報
【発明の概要】
【発明が解決しようとする課題】
【０００４】
上述した従来の技術では、フリーアクセスフロアの床下空間を仕切板により仕切ることができるが、仕切板を取付けるための構造が複雑であり、例えばデータセンタなどＩＴ機器を収めたラックが頻繁に増減されたり、位置変更が行われたりするような場合に、これらラックの増減や位置変更に対して簡単、迅速に仕切板の設置位置を変更し、床下を流れる例えば冷却風のようなエアの流れ方向を容易に変更することができなかった。このため、熱溜まり（ＩＴ機器の吸気面など本来低温であるべき領域に高温部が現れる現象）などシステムを不安定にする熱問題が生じやすくなるとともに、データセンタの稼働初期などでラックのない(冷却不要)床下エリアにも冷気が拡散する結果となるような場合は、余分な空調電力を使用することとなる。かかる消費電力の削減のため、床下空間の冷却風の流れを容易に変更可能とする技術の開発は、ＩＴ化にともなうデータセンタの大規模化において、消費電力の削減を図り、二酸化炭素の排出量を削減しようとする現今においては、顕著な問題となっている。
【０００５】
この出願に開示された技術は上述した問題点を解決するためになされたものであり、床下空間のエアの流れを容易に変更することができる技術を提供することを目的とする。
【課題を解決するための手段】
【０００６】
上述した課題を解決するため、フリーアクセスフロアは、基礎床上に空間を介して複数のフリーアクセスパネルを配設して形成されるフリーアクセスフロアであって、前記複数のフリーアクセスパネルのうちのいずれか一つ又はいずれか複数のフリーアクセスパネルのそれぞれにはスリットが設けられ、該スリットに、前記空間を流れるエアの流れ方向を定める仕切板が、前記フリーアクセスパネルの面から垂下するように且つ挿脱可能に設けられる。
【発明の効果】
【０００７】
床下空間のエアの流れを容易に変更することができるという効果を奏する。
【図面の簡単な説明】
【０００８】
【図１】フリーアクセスフロアの一部を示す平面図である。
【図２】図１のII−II線矢視断面図である。
【図３】フリーアクセスパネルに仕切板を使用した状態を示す断面側面図である。
【図４】フリーアクセスパネルに仕切板を使用しない状態を示す断面側面図である。
【図５】フリーアクセスパネルに仕切板を複数使用する場合の例を示す平面図である。
【図６】フレキシブルな仕切板を示す断面図である。
【図７】フレキシブルな仕切板を使用した状態を示す断面図である。
【図８】フレキシブルな仕切板の支持部への固定方法を示す図である。
【図９】フレキシブルな仕切板の支持部への固定方法の他の一例を示す図である。
【図１０】冷却風の流路を形成したフリーアクセスフロアの一例を示す図である。
【発明を実施するための形態】
【０００９】
以下、実施の形態を図面を参照しつつ説明する。なお、実施の形態におけるフリーアクセスフロアは、サーバなどを構成して格納するラックの増減、あるいは配置換えが頻繁に行われる、データセンタの床などに適用することができる。
【００１０】
図１はフリーアクセスフロアの一部を示す平面図、図２は図１のII−II線矢視断面図である。図１、図２において、フリーアクセスフロア１は複数のフリーアクセスパネル１ａを平面状に並べてフロアを構成するように配設されている。フリーアクセスフロア１は、基礎床２上に立設された複数の支柱３により支持され、フリーアクセスフロア１と基礎床２との間には空間が形成されている。
【００１１】
本例では、各フリーアクセスパネル１ａは長方形状をなし、各支柱３は４つのフリーアクセスパネル１ａの頂部が接する位置を支持している。これにより、各支柱３は、各フリーアクセスパネル１ａの頂部を各支柱３の支持面の略中心とする位置で支持している。
【００１２】
そして、複数のフリーアクセスパネル１ａのうちの一部のフリーアクセスパネルには、スリット５が設けられている。このスリット５は、複数のフリーアクセスパネル１ａのうちのいずれか一つ又はいずれか複数のフリーアクセスパネル１ａのそれぞれに設けられている。
【００１３】
そして、これらスリット５のうち、所定のスリット５には、図３に示すように、基礎床２とフリーアクセスフロア１との間に形成される空間を流れるエアの流れ方向を定める仕切板６が挿入される。この仕切板６は、フリーアクセスパネル１ａの面から垂下するように且つ挿脱可能に設けられる。
【００１４】
以上の構成において、上述したスリット５は、それが設けられるフリーアクセスパネル１ａにおいて、各フリーアクセスパネル１ａを基礎床２上に支持する支柱３間に設けられ、仕切板６が挿入された場合、支柱３と仕切板６とで、フリーアクセスパネル１ａの一方側を空間的に仕切ることが可能となる。
【００１５】
なお、仕切板６が挿入されないスリット５については、図４に示されるように塞ぎ板７が嵌合されてスリット５を塞ぐ構成となっている。すなわち、各スリット５には、フリーアクセスパネル１ａの上面側に段部５ａが設けられ、この段部５ａに塞ぎ板７を嵌合してフリーアクセスパネル１ａの面、すなわちフリーアクセスフロア１の面を面一に維持してスリット５を塞いでいる。また、仕切板６を使用する場合は、仕切板６の上縁に設けられた支持部６ａを段部５ａに係止して仕切板６が支持される。
【００１６】
図４に示される仕切板６は例えば木材、プラスチックなどの板状部材が用いられ、支持部６ａとともに一体形成されている。
【００１７】
なお、図１では、一つのフリーアクセスパネル１ａに一つのスリット５が設けられている場合について説明したが、図５の（ａ）（ｂ）（ｃ）に示すように、一つのフリーアクセスパネル１ａに複数のスリット５を設けて、それぞれに仕切板６を挿入するようにしてもよい。図５の場合、複数のスリット５は長方形状をなすフリーアクセスパネル１ａの各辺に沿うように、互いに直交するように、あるいは平行になるよう設けられている。
【００１８】
ここで、仕切板の他の構成について説明する。図３に示した仕切板６は板状部材にて構成したが、図６に示すように、フレキシブルな部材により仕切板１６を構成することもできる。図６に示される仕切板１６は、支持部１６ａにパネル下の空間を塞ぐに十分な大きさ並びに形状を有する柔軟な生地などによる仕切部１６ｂを取り付け、その下縁に複数の重り１６ｃを取り付けることにより構成される。この生地には、例えばナイロン、ポリエステルなどの化繊の生地や、塩化ビニルシートなどを用いることができる。また、重り１６ｃには、鉄などの金属材料やプラスチック樹脂材料を用いることができる。
【００１９】
このように仕切板１６をフレキシブルとすることにより、例えば、図７（ａ）に示すように、基礎床２上に障害物９があった場合には、フリーアクセスフロア１から仕切板１６の上端部（支持部１６ａ）が突出することなく、仕切板１６の垂下量（仕切部１６ｂの高さ方向の長さ）を調整することが可能となり、容易に床下空間を仕切ることが可能となる。また、図７（ｂ）に示すように、基礎床２が高くなる場合も同様である。
【００２０】
なお、仕切板をフレキシブル部材により構成する場合、支持部に対して仕切板の取付け方法は、図８に示すように、仕切部１６ｂを構成するフレキシブル部材１６ｄの上縁を粘着剤や接着剤で貼着したり、図９に示すように、フレキシブル部材１６ｄの上縁を鋲やピンやネジ１１等で機械的に固定することができる。
【００２１】
図１０は、実施の形態のフリーアクセスフロア１の一例を示している。仕切板６（又は１６）が設けられた複数のフリーアクセスパネル１ａを組み合わせて、床下に冷却風の流路Ｒが形成されている。すなわち、空調機２０から噴出された冷却風は、仕切板で仕切られて形成された流路のみに効率的に流されることとなり、他の冷却不要な場所には流れず、空調に要する消費電力の削減が図れるとともに、その流路はフリーアクセスパネルのスリットに対して、仕切板の使用、不使用、あるいはフリーアクセスパネルのスリット方向を適宜選択することにより、容易に変更可能となる。
【００２２】
これにより、実施の形態によれば、例えば、データセンタの稼働初期では冷却不要なエリアへの冷気を容易に遮断できるので空調機の電力コスト低減が可能となる。また、空調シミュレーションのモデル化時に切り出した解析エリアに容易に合せることができるので、解析精度が向上する。さらに、ラック装置や空調機などが設置された状態で、フリーアクセスフロアの上から容易に作業ができ、且つ風の流れ方向を変えることが容易に可能となる。
【符号の説明】
【００２３】
１  フリーアクセスフロア、１ａ  フリーアクセスパネル、２  基礎床、５  スリット、６，１６  仕切板、Ｒ  流路。
【図１】
2011047240.tif 000003
【図２】
2011047240.tif 000004
【図３】
2011047240.tif 000005
【図４】
2011047240.tif 000006
【図５】
2011047240.tif 000007
【図６】
2011047240.tif 000008
【図７】
2011047240.tif 000009
【図８】
2011047240.tif 000010
【図９】
2011047240.tif 000011
【図１０】
2011047240.tif 000012